(57)【特許請求の範囲】
【請求項１】
サービス交換ポイントと、少なくとも１つのサービス制御ポイントとを備えたインテリジェントネットワークにおいてインテリジェントネットワークサービスを制御する方法であって、サービス交換ポイントに配置された１つ以上のコール状態モデルに対して、上記サービス制御ポイントに２つ以上のサービスロジックプログラムがあり、上記コール状態モデルは、あるコールのコール制御オペレーションを記述するものであり、また、上記コール状態モデルは、状態を示すコール内ポイントと、上記サービス交換ポイントが上記サービス制御ポイントからのオペレーションを要求する場所である検出ポイントと、これらコール内ポイント及び／又は検出ポイントの間のルートと、を有するルーチンとして形成されており、上記２つ以上のサービスロジックプログラムの各々は、あるインテリジェントネットワークサービスを実行し、そして上記コールの異なる状態中にサービス交換ポイントのオペレーションを制御し、更に、上記方法は、
上記サービス制御ポイントのサービスロジックプログラムにより送信されたオペレーションに応答して上記検出ポイントを備えたコール状態モデルのルーチンをあるルートへ進めることを含む方法において、
サービス交換ポイントにおいて少なくとも１つのオペレーションを定義し、その実行に対し、サービス交換ポイントは、コール状態モデルのルーチンを進めることのできる２つ以上の別々のルートから選択を行うことができ、そして
オペレーションの上記送信に関連してサービス制御ポイントからサービス交換ポイントに対してコール状態モデルのルーチンを進めるべきルートを指示する、という段階を含むことを特徴とする方法。
【請求項２】
コール状態モデルのルーチンが進められるルートは、上記オペレーションの内容に基づき、例えば、上記オペレーション又は他の何らかの情報に関連した検出ポイントを定義するために指定されたパラメータに基づいて決定される請求項１に記載の方法。
【請求項３】
上記インテリジェントネットワークサービスに対するルートの選択は、同じ状態モデルを使用する他のサービスのオペレーションに影響する請求項１又は２に記載の方法。
【請求項４】
上記サービス制御ポイントのサービスロジックプログラムによりオペレーションの上記送信に関連して指示される上記コール状態モデルにおけるルートは、同じコール状態モデルを使用する他のサービスロジックプログラムのオペレーションに対する制限を設定する請求項１、２又は３に記載の方法。
【請求項５】
上記オペレーションは、同じコール状態モデルを使用する他のインテリジェントネットワークサービスが、オペレーションの上記送信の結果としてコール状態モデルのルーチンが進められる検出ポイントにおいて何を行えるか又は行わねばならないかを指示する少なくとも１つのパラメータ又は情報も含む請求項１、２、３又は４に記載の方法。
【請求項６】
上記オペレーションは、コールを解除するオペレーションである請求項１ないし５のいずれかに記載の方法。
【請求項７】
サービス交換ポイント(2)と、少なくとも１つのサービス制御ポイント(1)とを備えたインテリジェントネットワークであって、サービス交換ポイント(2)に配置された１つ以上のコール状態モデル(9)に対して、サービス制御ポイント(1)に配置された２つ以上のサービスロジックプログラム(8A,8B)があり、上記コール状態モデルは、あるコールのコール制御オペレーションを記述するものであり、また、上記コール状態モデルは、状態を示すコール内ポイントと、上記サービス交換ポイント(2)が上記サービス制御ポイント(1)からのオペレーションを要求する場所である検出ポイントと、これらコール内ポイント及び／又は検出ポイントの間のルートと、を有するルーチンとして形成されており、上記２つ以上のサービスロジックプログラム(8A,8B)の各々は、あるインテリジェントネットワークサービスを実行し、そして上記コールの異なる状態中にサービス交換ポイント(2)のオペレーションを制御し、更に、上記インテリジェントネットワークは、
上記サービス制御ポイントのサービスロジックプログラムにより送信されたオペレーションに応答して上記検出ポイントを備えたコール状態モデル(9)のルーチンをあるルートへ進めるよう構成されたインテリジェントネットワークにおいて、
サービス交換ポイントにおいて少なくとも１つのオペレーションが定義され、その実行に対して、サービス交換ポイントは、それがコール状態モデルのルーチンを進めることのできる２つ以上の別々のルートから選択を行うことができ、そして
サービス制御ポイントは、オペレーションの上記送信に関連して、コール状態モデルのルーチンを進めるべきルートを上記サービス交換ポイントに指示するように構成されたことを特徴とするインテリジェントネットワーク。
【請求項８】
コール状態モデル(9)のルーチンが進められるルートは、上記オペレーションの内容に基づき、例えば、上記オペレーション又は他の何らかの情報に関連した検出ポイントを定義するために指定されたパラメータに基づいて決定される請求項７に記載のインテリジェントネットワーク。
【請求項９】
上記インテリジェントネットワークサービスに対するルートの選択は、サービス交換ポイント(2)において同じ状態モデル(9)を使用する他のサービスのオペレーションに影響する請求項７又は８に記載のインテリジェントネットワーク。
【請求項１０】
上記サービス制御ポイントのサービスロジックプログラムによりオペレーションの上記送信に関連して指示される上記コール状態モデル(9)におけるルートは、サービス交換ポイント(2)において同じコール状態モデルを使用する他のサービスロジックプログラムのオペレーションに対する制限を設定する請求項８又は９に記載のインテリジェントネットワーク。
【請求項１１】
上記オペレーションは、同じコール状態モデル(9)を使用する他のインテリジェントネットワークサービスが、オペレーションの上記送信の結果としてコール状態モデル(9)のルーチンが進められる検出ポイントにおいて何を行えるか又は行わねばならないかを指示する少なくとも１つのパラメータ又は他の情報も含む請求項８、９又は１０に記載のインテリジェントネットワーク。
【請求項１２】
上記オペレーションは、コールを解除するオペレーションである請求項７ないし１１のいずれかに記載のインテリジェントネットワークサービス。
【発明の詳細な説明】
【０００１】
【技術分野】
本発明は、インテリジェントネットワークサービスを制御する方法及びインテリジェントネットワークサービスに係る。
【０００２】
【背景技術】
テレコミュニケーションネットワークにおいて、インテリジェンスとは、記憶されたデータにアクセスし、データを処理し、そしてデータに基づいて判断を行う能力を指す。公衆交換電話ネットワークＰＳＴＮのような現在のテレコミュニケーションネットワークも、例えば、記憶されたデータを処理してコールをルート指定できるので、ある程度インテリジェントである。現在のテレコミュニケーションネットワークにおける典型的な「インテリジェント」ファシリティは、コール状態を分析しそして記憶されたコール再送サービスプロファイルに基づいてコールをルート指定する条件付きコール再送である。しかしながら、この種のインテリジェントファシリティは、これまで基本的ネットワークの分離不能な部分であり、従って、ファシリティを変更又は追加すると、全てのネットワーク交換センターにおいて例えばソフトウェアの更新が必要となる。
【０００３】
この種のインテリジェントネットワークの一例が、ＩＴＵ−Ｔ（インターナショナル・テレコミュニケーションズ・ユニオン）のＱ−１２００シリーズ推奨勧告に記載されている。本発明及びその背景は、ＥＳＴ３００  ３７４−１  ＣｏｒｅＩＮＡＰ規格の用語を用いて説明するが、本発明は、他のインテリジェントネットワーク規格に基づいて実施されるインテリジェントネットワークにも使用できる。
インテリジェントネットワークＩＮは、基本的なネットワーク（固定又は移動ネットワーク）にアタッチされるネットワークアーキテクチャーで、サービスを迅速に、容易にそしてより柔軟に実施及び制御できるようにする。これは、サービスの制御を交換センターから個別のインテリジェントネットワーク機能ユニットに移管することにより行われる。このように、サービスは、基本的ネットワークのオペレーションとは独立して行うことができ、サービスを変更又は追加するときに基本的ネットワークの構造及びソフトウェアを変更する必要はない。インテリジェントネットワークでは、実際のネットワークオペレータに加えて多数のサービスプロバイダーが存在し得る。
【０００４】
過去数年間にインテリジェントネットワークの規格化が急速に進んでいる。これらの規格は、インテリジェントネットワークのためのある機能的及びハイアラーキー的モデルを規定している。このモデルでは、サービスの制御が基本的ネットワークの交換センターからインテリジェントネットワークのサービス制御機能（ＳＣＦ）又はサービス制御ポイント（ＳＣＰ）へ移管される。サービス制御機能は、サービスロジックと、サービスに関連した何らかの制御（例えば、必要なデータベース及びサービスロジックプログラム（ＳＬＰ）、換言すれば、あるサービスの論理構造即ちサービスロジックを実施するコンピュータプログラムを含んでいる。サービス制御機能は、サービス交換ポイントＳＳＰの観点から均一なものとして見ることができる単独の論理的機能である。これは、種々のやり方で内部的に実施することができ、内部的に分配することができ、そしてそれに関連したサービスロジックを異なるノードへ分配することができる。又、サービスデータは、サービスロジック以外のネットワークノードに分配することもできる。例えば、サービス制御機能又はポイント（ＳＣＦ／ＳＣＰ）は、外部のサービスプロバイダーにより提供される外部サーバーに対してオープンインターフェイス（共通オブジェクト要求ブローカーアーキテクチャーＣＯＲＢＡのような）しか与えないように内部で分配することができる。このような場合、ＳＣＰ及び外部サーバーは一緒にサービス制御機能を形成する。インテリジェントネットワークサービスは、サービス形成環境ポイント（ＳＣＥＰ）と称する特殊な装置と共に設計され、テストされそして除去される。サービス環境機能（ＳＭＦ）は、サービス特有のデータ及びサービスプログラムを含むデータベースにおいてユーザ及びネットワークに関連したデータを管理するのに使用される。サービス交換ポイント（ＳＳＰ）は、通常、交換センター、例えば、基本的ネットワークの交換センターであり、これは、サービス交換機能（ＳＳＦ）を実行し、即ちインテリジェントネットワークサービスを識別しそしてサービス制御ポイントＳＣＰとのインターワーキングを開始するが、ＳＳＰは、別の種類のネットワーク要素、例えば、ＶｏＩＰプロトコル（ボイスＩＰ）に接続を確立する役割を果たすノード、即ちＨ．３２３ゲートキーパーでもある。インテリジェントネットワークサービスを含むコールがなされるときには、サービス交換ポイントＳＳＰは、接続構成を処理する。インテリジェントネットワークサービスは、コール制御オペレーションを記述するコール状態モデル（ＢＣＳＭ）により定義されそしてサービスに関連した検出ポイント（ＤＰ）を検出したときにインテリジェントネットワークサービスを開始することにより提供され、そのとき、サービス交換ポイントＳＳＰは、サービス制御ポイントＳＣＰから命令を要求する。換言すれば、ＳＳＰは制御をＳＣＰにハンドオーバーし、次いで、ＳＣＰからのオペレーションを待機する。インテリジェントネットワークサービスがサービス制御ポイントＳＣＰにおいてトリガーされると、サービスロジックプログラムＳＬＰが開始され、そのオペレーションは、ＳＣＰが各コール段階においてＳＳＰに送信する命令を決定する。ＳＳＰは、受け取った命令を解釈し、そしてそれらにより要求されたコール制御機能を開始する。従って、インテリジェントネットワークサービスとは、ある識別条件に合致したときに形成される入力によりインテリジェントネットワーク機能を開始することを指す。
【０００５】
インテリジェントネットワークの現在の構造を上述した。本明細書において、インテリジェントネットワークとは、一般に、コール、セッション又はパケットデータを交換するノードがサービス制御機能にコンタクトし、このサービス制御機能が当該ノードに、コール、セッション又はパケットデータの交換に作用する命令を与えるような解決手段を指す。当該ノードとサービス制御機能との間のコンタクトは、ノードにおけるサービストリガーデータをベースとしている。トリガー動作、状態モデル、及び制御機能とネットワーク交換ノードとの間の制御又はＡＰＩインターフェイスを与えるプロトコルがインテリジェントネットワークを特徴付ける。コール、セッション又はパケットデータ交換は、制御機能に見える状態モデルで説明することができ、状態モデルは、制御機能からの命令を待機するために処理を中断することのできる段階及びそれらに関連した検出ポイントを含む。又、制御及びオペレーションは、コールオブジェクトで指令される手順及びそれらに関連した事象通知でもある。ＥＴＳＩ（ヨーロピアンテレコミュニケーションスタンダーズインスティテュート）ＳＰＳ３ワークグループ及びＩＴＵで開発されているＣｏｒｅＩＮＡＰ（インテリジェントネットワークアプリケーションプロトコル）ＣＳ３（能力セット３）に基づくインテリジェントネットワークでは、１つのコール状態モデルに対して、多数のアクティブなサービスロジックプログラムを対応的に有するサービス制御ポイントへの多数の制御接続（マルチポイントの制御サポートＭＰＣ）をもつことが計画に従って可能となる。本発明は、ＭＰＣサポートを与えるいかなるインテリジェントネットワーク規格（ＡＮＳＩ、ＡＩＮ又はＷＩＮのような）に基づくインテリジェントネットワークにも適用できることに注意されたい。１つのコール状態モデルに対してアクチベートされたサービスロジックプログラムが完全に独立している場合には、それらは、他の各存在について必ずしも知る必要がない。このため、１つのインテリジェントネットワークサービスにより送信されるＲｅｌｅａｓｅＣａｌｌ（コール解除）オペレーションは、予備ＣＳ−３規格によれば、同じコール状態モデルにおいて同時にアクティブである他のインテリジェントネットワークサービスにとって検出ポイントの検出として見えることを意味する。状態モデルにおいて検出される検出ポイントは、ＲｅｌｅａｓｅＣａｌｌオペレーションに与えられた原因コード値に基づき、例えば、「ビジー」又は「切断」検出ポイントと決定される。このように、ＳＣＰは、最初はコールを解除することしか意味しないＲｅｌｅａｓｅＣａｌｌオペレーションによりコール状態モデルを所望の検出ポイントまで進ませることができる。
【０００６】
上述した構成に伴う問題は、検出ポイントを原因コード値に結び付けることが常に適当ではないことである。というのは、そのとき使用される原因コード及び検出ポイントが互いに固定されるからである。従って、コールを解除するときにそれが希望する原因コードを常に使用することができない。というのは、それらを使用すると、検出ポイントの望ましからぬ検出が生じ得るからである。
【０００７】
【発明の開示】
従って、本発明の目的は、上記問題を解消する方法、及びこの方法を実施する構成体を提供することである。本発明の目的は、サービス交換ポイントと、少なくとも１つのサービス制御機能とを備えたインテリジェントネットワークにおいてインテリジェントネットワークサービスを制御する方法であって、あるコールのコール制御オペレーションを記述しそしてサービス交換ポイントに配置された１つ以上のコール状態モデルに対して、サービス制御機能に関連した２つ以上のサービスロジックプログラムがあり、その各々は、あるインテリジェントネットワークサービスを実行し、そして上記コールの異なる段階中にサービス交換ポイントのオペレーションを制御し、更に、上記方法は、インテリジェントネットワークサービスにより送信されたオペレーションに応答してコール状態モデルをある検出ポイント又はコール段階に向けることを含む方法において、サービス交換ポイントで少なくとも１つのオペレーションを定義し、その実行に対して、サービス交換ポイントは、コール状態モデルを向けることのできる２つ以上の別のルート又は検出ポイントから選択を行うことができ、そしてオペレーションの上記送信に関連してサービス制御機能から、コール状態モデルが向けられるルート又は検出ポイントを指示するという段階を含む方法によって達成される。
【０００８】
本発明は、あるオペレーション（コマンド）を実行するために２つ以上の別々のルート又は検出ポイントからサービス交換ポイントが選択を行えるような段階（１つ又は複数）が必要に応じてコール状態モデルに対して構成されるという考え方をベースとする。各状態においてセッションの状態モデルが向けられるべき検出ポイント又は分岐は、それ自身のパラメータ（情報）としてオペレーション（例えば、ＲｅｌｅａｓｅＣａｌｌ又はＤｉｓｃｏｎｎｅｃｔＬｅｇ）に追加される。又、所望の検出ポイントが形式で指示される個別のオペレーションを使用することもできる。本明細書において、「コール」という用語は、従来のコールを指すだけでなく、データセッションのようなユーザデータの搬送又はパケットデータの搬送を含む他の考えられる仮想接続状態も指す。例えば、パケットデータセッション（ＧＰＲＳセッションのような）、ＶｏＩＰセッション、及びＨ．３２３に基づくマルチメディアセッションが含まれる。
【０００９】
本発明の方法は、あるオペレーションを実行するルート又は次の検出ポイントがサービス制御機能から受け取られたオペレーションの形式又は内容に基づいて条件付きで選択される分岐ポイント（１つ又は複数）を状態モデルに追加することにより、検出ポイントを自由に定義できる一方、その目的に対して指定されたあるオペレーションを使用することにより、例えば、ある検出ポイントの検出のみを行うことができ、コールの解除は必ずしも行われないという効果を与える。従って、サービス交換ポイントは、状態モデルにおいてルート又は次の検出ポイントを多数のやり方で選択することができ、従って、選択されるべきルートは、サービス交換ポイントにおいて情報に基づく明確なものではなく、サービス制御機能が、送信されたオペレーションの内容により選択されるべきルート又は検出ポイントを指示する。このようにして、インテリジェントネットワークサービスは、状態モデルの通常のオペレーション遷移ルールに基づかないルートに状態モデルを強制することができる。
【００１０】
本発明の好ましい実施形態によれば、インテリジェントネットワークサービスに対するルート（より一般的には、ルーチンが進んだところの状態モデルにおける状態のサブセット）又は検出ポイントの選択は、サービス交換ポイントにおいて同じ状態モデルを使用する他のサービスのオペレーションに影響し、例えば、それを制限する。ルート（状態のサブセット）は、例えば、自発的なユーザ相互作用をもつことができ、又は計算制御を禁止することができる。送信されるオペレーションは、例えば、同じコール状態モデルを使用する他のインテリジェントネットワークサービスが、オペレーションが送信される結果としてコール状態モデルが向けられる検出ポイントにおいて何を行えるか又は何を行わねばならないかを指示する少なくとも１つの付加的なパラメータを含む。この好ましい実施形態は、例えば、多数の制御インテリジェントネットワークサービスを使用するインテリジェントネットワークにおいてコール状態に対する１つの制御接続によりなされた制御の結果として、後で検出される検出ポイントにおいて最初のオペレーションとは異なるやり方で他のサービスがオペレーションされるべきときに発生する問題を解消する。その主たる及び好ましい実施形態によれば、本発明は、コールに対して最終的に何を行うべきかのサービス特有の制御を失うことなく、コール状態モデルを制御する方法を増加することにより、種々のインテリジェントネットワークサービス間の特性相互作用管理を容易にする。又、状態のサブセットは、状態パラメータによって指示することもでき、これにより、実際の状態は、より一般的な状態の識別子と、ネットワークサブサービスにより設定される「サブ状態」、例えば、「コール状態」＋「禁止された接続要素分離」によって形成される。
【００１１】
又、本発明は、サービス交換ポイントと、少なくとも１つのサービス制御ポイントとを備えたインテリジェントネットワークであって、あるコールのコール制御オペレーションを記述しそしてサービス交換ポイントに配置された１つ以上のコール状態モデルに対して、サービス制御ポイントに配置された２つ以上のサービスロジックプログラムがあり、その各々は、あるインテリジェントネットワークサービスを実行し、そして上記コールの異なる段階中にサービス交換ポイントのオペレーションを制御し、更に、上記インテリジェントネットワークは、インテリジェントネットワークサービスにより送信されたオペレーションに応答してコール状態モデルをある検出ポイント又はコール段階に向けるよう構成されたインテリジェントネットワークにおいて、サービス交換ポイントで少なくとも１つのオペレーションが定義され、その実行に対して、サービス交換ポイントは、それがコール状態モデルを向けることのできる２つ以上の別々のルート又は検出ポイントから選択を行うことができ、そしてサービス制御機能は、オペレーションの上記送信に関連してサービス交換ポイントがコール状態モデルを向けるルート又は検出ポイントを指示するように構成されたことを特徴とするインテリジェントネットワークにも係る。
本発明の方法により与えられる効果は、このようなインテリジェントネットワークによって達成される。
【００１２】
【発明を実施するための最良の形態】
以下、添付図面を参照して、本発明の好ましい実施形態を詳細に説明する。
図１は、インテリジェントネットワークサービスにとって重要な要素及び機能を示し、そして図２は、インテリジェントネットワーク機能の相互接続を示す。これらの図は、本発明を理解するのに必要な要素しか示していないことに注意されたい。又、インテリジェントネットワークの構造は、本発明の基本的な考え方に関わらず、上記と異なるものでもよい。サービス交換機能６（ＳＳＦ）及びコール制御機能７（ＣＣＦ）を含むネットワーク要素は、サービス交換ポイント２（ＳＳＰ）と称される。コール制御機能ＣＣＦ７は、インテリジェントネットワークに関連した機能ではなく、送信リンク設定及び解除のような交換センターの高レベルコール処理機能を含む標準的な交換センター機能である。サービス交換機能ＳＳＦ６は、コール制御機能ＣＣＦ７とサービス制御機能ＳＣＦ５との間のインターフェイスである。ＳＳＦ６は、ＳＣＦ５により送信された要求を解釈し、そしてそれらをＣＣＦ７へ転送し、ＣＣＦ７は、それらによって要求されたコール制御機能をスタートする。対応的に、コール制御機能ＣＣＦ７は、ＳＳＦ６を使用して、ＳＣＦ５から命令を要求する。ＳＳＦ６は、ＣＣＦ７への固定接続を有し、そしてそのインターフェイスとして働く。従って、各ＳＳＦ６は、ＣＣＦ７と共に同じ交換センターにある。図１のサービス交換ポイントＳＳＰ２は、例えば、ＣＣＦ７及びＳＳＦ６だけでなく、ユーザ３にネットワークへのアクセスを与える機能１０（コール制御エージェント機能ＣＣＡＦ）も含む交換機である。ＳＳＰ２は、ＣＣＡＦ１０を含むので、例えば、固定ネットワークのローカル交換機でもよいし、又は移動ネットワークＰＬＭＮのベースステーションサブシステムＢＳＳを制御する移動交換センターでもよい。従って、ユーザ３のターミナル装置は、電話、電話を伴う会社の交換機、又はエアインターフェイス及びそのサポート装置を経て通信する移動ステーションである。
【００１３】
サービス制御機能５（ＳＣＦ）を含むネットワーク要素は、サービス制御ポイント１（ＳＣＰ）と称される。サービス制御機能５は、例えば、サービスロジックプログラム８Ａ及び８Ｂに対する実行環境を含むインテリジェントネットワークの集中当局である。各プログラム８Ａ及び８Ｂは、実行すべき多数のインスタンスをもつことができる。図１のサービス制御ポイントＳＣＰ１は、サービス制御機能ＳＣＦ５に加えて、例えば、サービスデータ機能１１（ＳＤＦ）も含む。ＳＤＦ１１は、ＳＣＦ５を経て使用されるデータベースである。例えば、加入者特有の又はサービス番号特有のデータをＳＤＦ１１に記憶することができる。
１つのサービス制御ポイントＳＣＰ１は、多数のサービス交換ポイントＳＳＰ２をそれに接続することができ、そして対応的に、１つのサービス交換ポイントＳＳＰ２は、多数のサービス制御ポイントＳＣＰ１に接続することができる。多数のＳＣＰ１は、ネットワークの信頼性を改善すると共に、ネットワークの負荷を分担するために、同じサービスロジックプログラム８Ａ及び８Ｂと、同じデータ又は同じデータへの接続とを含むことができる。
【００１４】
あるネットワークノードでは、サービス交換ポイントＳＳＰ及びサービス制御ポイントＳＣＰが組み合わされている。この種のネットワークノードは、サービス交換・制御ポイントＳＳＣＰ（図示せず）と称される。これは、ＳＳＰ及びＳＣＰの両機能を備え、そしてそれらに対応する個々のポイントと同様のサービスを提供する。
図１のシステムでは、シグナリングネットワークＳＳ７  ４（ＣＣＩＴＴ（現在のＩＴＵ−Ｔ）推奨勧告に記載された既知のシグナリングシステムであるシグナリングシステム番号７）を経て要素が互いに接続される。ＩＳＤＮのような他のネットワークも使用できる。互いに通信する際に、交換ポイント２及び制御ポイント１は、例えば、ＩＮＡＰプロトコル（ＥＴＳＩ規格ＥＴＳＩ  ＩＮ  ＣＳ１  ＩＮＡＰ  パート１：プロトコル仕様、ｐｒＥＴＳ３００  ３７４−１）を使用する。ＳＳ７プロトコルスタックでは、ＩＮＡＰ層は最上位層であり、その下には、ＴＣＡＰ層（トランザクション能力アプリケーションパート）、ＳＣＣＰ層（シグナリング接続制御ポイント）及びＭＴＰ層（メッセージ転送パート）がある。
【００１５】
インテリジェントネットワークサービスを含むコールが設定されるときには、サービス交換ポイントＳＳＰ２が接続構成を取り扱う。インテリジェントネットワークサービスは、サービスに関連した検出ポイント（ＤＰ）を検出するときにインテリジェントネットワークサービスを開始することにより提供され、このときに、サービス交換ポイントＳＳＰ２は、サービス制御ポイントＳＣＰ１からの命令を要求する。換言すれば、ＳＳＰ２は、制御をＳＣＰ１へハンドオーバーし、そしてＳＣＰ１からのオペレーションを待機する。インテリジェントネットワークサービスがトリガーされると、サービス制御ポイントＳＣＰ１は、サービスロジックプログラムＳＬＰ  ８Ａ又は８Ｂを開始し、そのオペレーションは、各コール段階にＳＣＰ１がＳＳＰ２に送信する命令を決定する。ＳＳＰ２は、受け取った命令を解釈し、そしてそれにより要求されるコール制御機能を開始する。従って、インテリジェントネットワークサービスをトリガーするとは、ある識別条件に合致したときに形成される入力によるインテリジェントネットワーク機能の開始を指し、即ちインテリジェントネットワークサービスは、トリガー検出ポイント（ＴＤＰ）に対して設定された検出ポイントであってコール制御オペレーションを記述する基本的コール状態モデル９（ＢＣＳＭ）により定義された検出ポイントにおいて開始される。あるインテリジェントネットワークサービスが既に開始されたときには、それが事象検出ポイント（ＥＤＰ）に対して検出ポイントを更に設定することができ、それを検出すると、例えば、当該インテリジェントネットワークサービスにオペレーションが生じる。
【００１６】
ＥＴＳＩ  ＳＰＳ３ワークグループ及びＩＴＵにおいて開発されているＣｏｒｅＩＮＡＰ  ＣＳ３に基づくインテリジェントネットワークでは、計画に基づき、１つのコール状態モデル９に対して、サービス制御ポイント５への多数の制御接続（マルチポイントの制御サポートＭＰＣ）をもつことができ、サービス制御ポイント５は、対応的に、多数のアクティブなサービスロジックプログラム８Ａ及び８Ｂを有する。１つのコール状態モデル９に対してアクチベートされるサービスロジックプログラム８Ａ及び８Ｂは、完全に独立したものであり、互いに他の存在を知らなくてよい。それ故、同じコール状態モデル９において同時にアクティブな他のインテリジェントネットワークサービスに、１つのインテリジェントネットワークサービスにより実行される機能について通知する必要がある。これは、例えば、オペレーションを実行するときにコール状態モデル９の検出ポイントをインテリジェントネットワークサービスで検出させることにより行うことができる。他のインテリジェントネットワークサービスが当該検出ポイントを事象検出ポイントに設定する場合には、この事象がそれらに分かる。というのは、それが事象検出ポイント要求（ＥＤＰ−Ｒ）を形成するからである。検出ポイントがインテリジェントネットワークサービスのトリガーポイントに設定されている場合には、検出ポイントが検出されると、インテリジェントネットワークサービスを開始することができる。
【００１７】
本発明の主たる実施形態によれば、コール状態モデル９は、インテリジェントネットワークサービスにより送信されたオペレーションに応答してある検出ポイントに向けられ、従って、コール状態モデル９が向けられる検出ポイントは、上記オペレーションの形式に基づいて決定されるか、又は上記オペレーションに関連した検出ポイントを定義するために指定されたパラメータに基づいて決定される。所望の検出ポイントを定義するパラメータは、システムの通常オペレーション（例えば、ＲｅｌｅａｓｅＣａｌｌ又はＤｉｓｃｏｎｎｅｃｔＬｅｇ）に関連させることもできるし、又はある検出ポイントの検出を構成することだけを意味するオペレーションに関連させることもできる。ある目的で指定された特殊なオペレーションを使用することが正しいとされる。というのは、例えば、コールを解除すると共に所望の検出ポイントを報告するという２つの目的でＲｅｌｅａｓｅｃａｌｌオペレーションを使用することは、必ずしも賢いことではないからである。インテリジェントネットワークサービスがコールの解除を明確に希望する場合には、コールに影響する可能性を伴って他のサービスを提供することを必ずしも希望しない。他方、主たる目的がコール状態モデル９をある検出ポイントへ単に「ラン」させることである（例えば、サービスがＢ加入者にビジー又は「非応答」状態にあると報告させることを希望する）場合には、当該事象がネットワークに生じるときに通常そうであるようにコールに反応させて、例えば、インテリジェントネットワークサービス（又はＧＳＭ捕捉サービス）により制御されるコール転送を開始させることが目的であり、この場合、コールが解除されるべきかどうかを知る必要はない。所望の検出ポイントを報告するためにのみ特殊なオペレーションが使用される場合には、特定のパラメータを伴うことなくオペレーションの形式に基づいて検出ポイントを指示することもできる。
【００１８】
本発明の好ましい実施形態によれば、コール状態モデル９をある検出ポイントに向ける上記オペレーションは、同じコール状態モデル９を使用する他のインテリジェントネットワークサービスが、オペレーションを送信する結果としてコール状態モデル９が向けられる検出ポイントにおいて何を行うことができるか又は何を行うべきかを指示する少なくとも１つのパラメータも含む。本発明のこの好ましい実施形態によれば、おそらく検出ポイントを検出することにより生じる問題を回避することができる（例えば、ＲｅｌｅａｓｅＣａｌｌオペレーションは、最初に、コールを解除するのに使用されることを意味する）。検出ポイントを検出すると、例えば、ＲｅｌｅａｓｅＣａｌｌオペレーションのために検出された検出ポイントにおいて同時にアクティブな別のサービスにより不所望なコールリルーティングが生じる。例えば、コールを解除するためにＰｒｅＬｏａｄサービスによりなされたＲｅｌｅａｓｅＣａｌｌ要求は、「切断（Ｄｉｓｃｏｎｎｅｃｔ）」検出ポイントの検出を生じさせ、そして「切断」検出ポイントにおいて同時にアクティブな制御インテリジェントネットワークサービスは、連続コールを行うことができ、即ちコールを新たな番号にルーティングすることができる。従って、このような好ましくない状態は、例えば、検出された検出ポイントにおいて他のインテリジェントネットワークサービスが何を行えるかを、オペレーションに関連したパラメータで定義することにより回避することができる。
【００１９】
図３は、ＩＴＵ−Ｔ推奨勧告Ｑ．１２１４（図４−３）に定義された出呼びの基本的コール状態モデルＢＳＣＭを示している。制御パラメータの値が変化するときにＲｅｌｅａｓｅＣａｌｌオペレーションが種々のやり方で状態モデルをいかに制御できるかの幾つかの例を次に説明する。
例１：コールが会話状態にあると仮定する（図３のＯ＿Ａｃｔｉｖｅ）。ＳＣＰにより送信されるＲｅｌｅａｓｅＣａｌｌオペレーションの内容は、例えば、「切断」検出ポイント９を検出する（ルートＡ）か、又は「切断」検出ポイントの検出を禁止する（この場合は、別のルートＢが選択される）ためのコマンドである。
例２：コールが分析状態にあると仮定する（図３のＡｎａｌｙｓｅ＿Ｉｎｆｏ）。ＳＣＰにより送信されるＲｅｌｅａｓｅＣａｌｌオペレーションの内容は、例えば、「放棄」検出ポイント１０を検出する（ルートＣ）か、検出ポイントの検出を禁止する（ルートＤ）か、又はビジー検出ポイント５を検出する（ルートＥ）のためのコマンドである。
技術の進歩に伴い、本発明の基本的な考え方は、多数の異なるやり方で実施できることが当業者に明らかであろう。従って、本発明及びその実施形態は、上述した例に限定されるものではなく、請求の範囲内で種々変更し得る。
【図面の簡単な説明】
【図１】  インテリジェントネットワークの構造を示す図である。
【図２】  インテリジェントネットワークの機能間の接続を示す図である。
【図３】  出呼びの状態モデルを示す図である。
【図１】
0003682953.tif 000002
【図２】
0003682953.tif 000003
【図３】
0003682953.tif 000004